(57)【特許請求の範囲】
【請求項１】
壁面に対して直交して延びるように天井面に設けられるレールと、前記レールに沿って走行可能な昇降装置と、を備えた介護リフト装置が設けられた部屋内に配置される壁面収納什器であって、
前記壁面収納什器は、少なくとも両側に側板と、前記側板間の空間を上下に仕切る少なくとも１つの区画板と、を備え、前記天井面と対向する前記区画板が前記レールと対向するように配置され、前記天井面と該天井面と対向する前記区画板と前記側板間との間の前記壁面収納什器内の空間を前記昇降装置を格納可能な空間とし、前記側板のうち、少なくとも一方の側板には、前記空間の前記壁面と反対側の面を開閉する開閉部材を備え、前記開閉部材が開状態で前記空間に前記昇降装置が出入可能であり、前記開閉部材が閉状態で前記空間に前記昇降装置が出入不能であることを特徴とする壁面収納什器。
【請求項２】
壁面に対して直交して延びるように天井面に設けられるレールと、前記レールに沿って走行可能な昇降装置と、を備えた介護リフト装置が設けられた部屋内に配置される壁面収納什器であって、
前記壁面収納什器は、少なくとも両側に側板と、前記側板間の空間を上下に仕切る少なくとも１つの区画板と、を備え、前記天井面と対向する前記区画板が前記レールと対向するように配置され、前記天井面と該天井面と対向する前記区画板と前記側板間との間の前記壁面収納什器内の空間を前記昇降装置を格納可能な空間とし、前記側板のうち、少なくとも一方の側板の上端部には、前記壁面収納什器内に突出する突出部が設けられ、該突出部は当該側板の上端から前記レールの鉛直方向下方に至る手前の位置まで延設されており、前記レールの鉛直方向下方には無いことを特徴とする壁面収納什器。
【請求項３】
壁面に対して直交して延びるように天井面に設けられるレールと、前記レールと交差する方向に延び該レールに沿って移動可能に取付けられた交差レールと、前記交差レールに沿って走行可能な昇降装置と、を備えた介護リフト装置が設けられた部屋内に配置される壁面収納什器であって、
前記壁面収納什器は、少なくとも両側に側板を備え、前記天井面と前記側板間との間の前記壁面収納什器内の空間を前記昇降装置を格納可能な空間とし、前記側板のうち、少なくとも一方の側板の上端部には、前記レールに沿って移動する前記交差レールが通過可能となるように切り欠かれた切欠部を備えていることを特徴とする壁面収納什器。
【発明の詳細な説明】
【技術分野】
【０００１】
本発明は、病院の病室や介護施設における個室等において配置される壁面収納什器に関する。
【背景技術】
【０００２】
病院の病室や介護施設における個室等において、寝たきり患者や介護が必要とされる移動困難者をベッドから移動させるための介護リフト装置が設けられている。特許文献１に示されるように、介護リフト装置は、天井面に取り付けられたレールと、レールを利用して走行する巻上げ機（昇降装置）と、を備えており、巻上げ機に対して吊具を取り付け、該吊具を患者や移動困難者に装着して巻上げ機で吊り上げることにより、患者の移動や歩行等を補助できるようになっている。このような介護リフト装置は、巻上げ機が部屋の壁面側に配置されたベッド近傍に移動できるように、壁面に対して直交するようにレールが延びている。
【０００３】
また、このような病院の病室や介護施設における個室等においては、壁面に沿って壁面収納什器が配置されることがあり、その壁面収納什器内に患者の持ち物等を収納することができるようになっている。このような壁面収納什器は、使い勝手の観点からベッドの近傍に配置して用いられている。
【先行技術文献】
【特許文献】
【０００４】
【特許文献１】特開２０００−２３７２５０号公報（第２頁、第１図）
【発明の概要】
【発明が解決しようとする課題】
【０００５】
しかしながら、特許文献１のような介護リフト装置は、巻上げ機がベッド近傍に移動できるように、ベッド近傍の壁面に対して直交するようにレールが延びているため、この介護リフト装置が配設された病室内のベッド近傍に前記壁面収納什器を配置しようとすると、該壁面収納什器が巻上げ機の走行を阻害してしまう虞があり、ベッドから離れた位置に壁面収納什器を配置せざるを得ないこともあった。
【０００６】
本発明は、このような問題点に着目してなされたもので、昇降装置の走行を阻害することなくベッドに近い位置に配置できる壁面収納什器を提供することを目的とする。
【課題を解決するための手段】
【０００７】
前記課題を解決するために、本発明の壁面収納什器は、
壁面に対して直交して延びるように天井面に設けられるレールと、前記レールに沿って走行可能な昇降装置と、を備えた介護リフト装置が設けられた部屋内に配置される壁面収納什器であって、
前記壁面収納什器は、少なくとも両側に側板と、前記側板間の空間を上下に仕切る少なくとも１つの区画板と、を備え、前記天井面と対向する前記区画板が前記レールと対向するように配置され、前記天井面と該天井面と対向する前記区画板と前記側板間との間の前記壁面収納什器内の空間を前記昇降装置を格納可能な空間とし、前記側板のうち、少なくとも一方の側板には、前記空間の前記壁面と反対側の面を開閉する開閉部材を備え、前記開閉部材が開状態で前記空間に前記昇降装置が出入可能であり、前記開閉部材が閉状態で前記空間に前記昇降装置が出入不能であることを特徴としている。
また、本発明の壁面収納什器は、
壁面に対して直交して延びるように天井面に設けられるレールと、前記レールに沿って走行可能な昇降装置と、を備えた介護リフト装置が設けられた部屋内に配置される壁面収納什器であって、
前記壁面収納什器は、少なくとも両側に側板と、前記側板間の空間を上下に仕切る少なくとも１つの区画板と、を備え、前記天井面と対向する前記区画板が前記レールと対向するように配置され、前記天井面と該天井面と対向する前記区画板と前記側板間との間の前記壁面収納什器内の空間を前記昇降装置を格納可能な空間とし、前記側板のうち、少なくとも一方の側板の上端部には、前記壁面収納什器内に突出する突出部が設けられ、該突出部は当該側板の上端から前記レールの鉛直方向下方に至る手前の位置まで延設されており、前記レールの鉛直方向下方には無いことを特徴としている。
これらの特徴によれば、側板間における最上段に配置された区画板と天井面とが対向した間の空間に昇降装置を進入させることができるため、昇降装置の走行を阻害することなくベッドに近い位置に壁面収納什器を配置することができる。
【０００８】
前記壁面収納什器は、両側の前記側板の間における前記壁面と反対側を開閉する開閉部材を備えていることを特徴としている。
この特徴によれば、昇降装置を不使用時には、壁面収納什器内に昇降装置を収納し、開閉部材により両側の側板間における壁面の反対側を閉塞することができるので、昇降装置が露見せず見栄えが良くなる。
【０００９】
壁面に対して直交して延びるように天井面に設けられるレールと、前記レールと交差する方向に延び該レールに沿って移動可能に取付けられた交差レールと、前記交差レールに沿って走行可能な昇降装置と、を備えた介護リフト装置が設けられた部屋内に配置される壁面収納什器であって、
前記壁面収納什器は、少なくとも両側に側板を備え、前記天井面と前記側板間との間の前記壁面収納什器内の空間を前記昇降装置を格納可能な空間とし、前記側板のうち、少なくとも一方の側板の上端部には、前記レールに沿って移動する前記交差レールが通過可能となるように切り欠かれた切欠部を備えていることを特徴としている。
この特徴によれば、昇降装置の走行範囲を広げるために交差レールを用いても、切欠部内に交差レールを通過させて壁面側に寄せることができる。
【００１０】
前記壁面収納什器は、両側の前記側板の間における前記壁面と反対側を開閉する開閉部材を備えていることを特徴としている。
この特徴によれば、昇降装置を不使用時には、壁面収納什器内に昇降装置を収納し、開閉部材により両側の側板間における壁面の反対側を閉塞することができるので、昇降装置が露見せず見栄えが良くなる。
前記開閉部材は、前記切欠部が設けられていない側の側板に対して回動可能に取付けられる開き戸であることを特徴としている。
この特徴によれば、昇降装置の走行や、交差レールの移動、または最上段の区画板よりも下方の収納スペース等に干渉することなく、側板の間における壁面の反対側を容易に開閉することができる。
【００１１】
前記壁面収納什器には、前記開き戸の固定端側の前記側板と該壁面収納什器の背板とを連結する連結部材が、前記開き戸の固定端側の前記側板と前記背板とで成す内角側に設けられていることを特徴としている。
この特徴によれば、連結部材により開き戸の固定端側の側板と背板とを連結して強度を高めることができるため、開き戸を安定して支持することができるとともに、連結部材が外側に露見しないので壁面収納什器の見栄えがよくなる。
【図面の簡単な説明】
【００１２】
【図１】実施例における介護リフト装置及び壁面収納什器が配置された部屋を示す斜視図である。
【図２】壁面収納什器の開き戸を開けた状態を示す斜視図である。
【図３】昇降装置が壁面収納什器内に進入した状態を示す斜視図である。
【図４】昇降装置が壁面収納什器内に進入した状態において、開き戸を閉じた状態を示す斜視図である。
【図５】壁面収納什器の変形例を示す斜視図である。
【発明を実施するための形態】
【００１３】
本発明に係る壁面収納什器を実施するための形態を実施例に基づいて以下に説明する。
【実施例】
【００１４】
実施例に係る壁面収納什器につき、図１から図５を参照して説明する。以下、図２の壁面収納什器において、開き戸側を前面側（正面側）として説明し、壁面側を背面側（後方側）として説明する。また、壁面収納什器を正面側から見て左右を該壁面収納什器の左右として説明する。
【００１５】
図１に示されるように、壁面収納什器１（以下、単に収納什器という）は、病院の病室や介護施設の個室等において、患者の持ち物を収納するために配置されている。このような収納什器１は、使い勝手の観点からベッドＢの近傍に配置されるようになっており、本実施例の収納什器１は、ベッドＢの横に立設され、壁面Ｗから部屋側に突出するようにして配置されている。尚、本実施例の壁面Ｗは、部屋の壁部から部屋中央部側に離間して配置された壁パネル装置の部屋側の板面であり、壁面Ｗと部屋の壁部との間に医療用のガス管や電源用配線等を通して、壁面Ｗからそれらの機能を取り出せるように取出口が設けられている。更に尚、壁パネル装置を用いることなく、壁面Ｗは、部屋の壁部をそのまま壁面Ｗとして利用してもよい。
【００１６】
また、このような病院の病室や介護施設の個室等においては、図１に示されるように、寝たきり患者や介護が必要とされる移動困難者をベッドＢから移動させるための介護リフト装置２が設けられている。
【００１７】
介護リフト装置２は、部屋の天井面Ｃに配設されたレール装置３と、該レール装置３を利用して部屋内を走行する昇降装置４と、該昇降装置４の昇降部４ａの昇降操作を行うリモコン５と、昇降装置４の昇降部４ａに取り付けられるスリングバー６と、該スリングバー６に吊り下げられ、患者の身体を包み込むようにして取り付けられるスリングシート７と、から主に構成されている。
【００１８】
本実施例において、レール装置３は、天井面Ｃに左右方向に所定間隔空けて配設された一対の固定レール３ａ，３ａ（レール）と、該一対の固定レール３ａ，３ａ間に架設される交差レール３ｂと、を備え、固定レール３ａ，３ａの長手方向に沿って交差レール３ｂが移動可能となっており、さらに、交差レール３ｂの長手方向に沿って設けられた凹条部３ｃ（図１参照）には、昇降装置４の係合凸部４ｂが係合され、該交差レール３ｂの長手方向に沿って昇降装置４が走行可能となっているので、室内における昇降装置４の面移動が可能となり、広範囲に昇降装置４を移動させて配置することができるようになっている。尚、本実施例では、作業者が昇降部４ａを手で持って操作することにより、交差レール３ｂに沿った昇降装置４の走行及び固定レール３ａ，３ａに沿った交差レール３ｂの走行を行うようになっている。更に尚、昇降装置４及び交差レール３ｂの走行は、リモコン５により遠隔操作されるようになっていてもよい。
【００１９】
また、固定レール３ａ，３ａは、ベッドＢ近傍の壁面Ｗに対して直交するように延びており、交差レール３ｂ及び昇降装置４がベッドＢ上方を移動可能となっている。また、固定レール３ａ，３ａは、天井に埋め込み配置されており、その下端面が天井面Ｃと面一となっている。尚、固定レール３ａ，３ａは、部屋側に張り出すように天井面Ｃに固定されてもよい。
【００２０】
図２に示されるように、収納什器１は、上下に２分割された上部収納体１０と下部収納体１１とが連結されて構成されている。下部収納体１１は、側板１１ａ，１１ｂと、底板１１ｃと、上板１１ｄと、図示しない背板と、側板１１ａ，１１ｂ間に配設される複数の区画板１１ｅ，１１ｅ，…（１つのみ図示）と、を備えている。区画板１１ｅ，１１ｅ，…は、収納什器１の上下の空間を区画する棚板部として機能しており、区画板１１ｅ，１１ｅ，…の間を棚収納や引出し収納として利用できるようになっている。さらに詳しくは、区画板は、後述する片側の固定レール３ａ（本実施例では右側の固定レール３ａ）の鉛直方向下方を横方向に分断するように延びる部材のことを指す。尚、区画板１１ｅ，１１ｅ，…の間に形成される収納の数、形態、配置等はこれに限られず、自由に構成されてよい。さらに尚、図示しないが下部収納体１１の前記背板は、ビス等により壁面Ｗに対して固定されている。
【００２１】
上部収納体１０は、側板１０ａ，１０ｂと、底板１０ｃと、区画板１０ｇ（最上段の区画板）と、背板１０ｄと、を備えており、この上部収納体１０の前端部と上端部とは、開放された開口部１０ｅとなっている。尚、上部収納体１０の底板１０ｃは、下部収納体１１の上板１１ｄに対してボルト等により固定されているとともに、上部収納体１０の背板１０ｄは、ビス等により壁面Ｗに対して固定されている。そのため、収納什器１は、壁面Ｗに沿って安定して配置された状態を保つことができるようになっている。さらに尚、区画板１０ｇにより側板１０ａ，１０ｂ及び背板１０ｄが連結されて上部収納体１０の強度が高められているとともに、区画板１０ｇと底板１０ｃとの間は、昇降装置４の昇降部４ａに取り付けられるスリングバー６及びスリングシート７（スリングシート７のみ図示）の収納空間として利用できるようになっている。尚、区画板１０ｇを設けることは必須ではなく、区画板１０ｇを設けない態様の場合には、最上段の区画板は底板１０ｃである。
【００２２】
図２に示されるように、収納什器１は、片側の固定レール３ａ（本実施例では右側の固定レール３ａ）の下方に区画板１０ｇが対向するように配置されており、固定レール３ａの延設方向に開口部１０ｅが向くように配置されている。ここでいう、固定レール３ａと区画板１０ｇとの対向は、固定レール３ａと区画板１０ｇとの間に収納什器１の上下の空間を区画する前記区画板が設けられず、固定レール３ａと区画板１０ｇとが直接向き合った状態、つまり固定レール３ａから鉛直方向下方の区画板１０ｇまでの間に介在物が無い空間が形成された状態を指す。さらに、上部収納体１０の側板１０ａは、その上端部に交差レール３ｂが通過可能な上下幅で切り欠かれた切欠部１０ｆを備えている。
【００２３】
したがって、図３に示されるように、交差レール３ｂを切欠部１０ｆ内に通過させ、上部収納体１０内（側板１０ａ，１０ｂと、区画板１０ｇと、背板１０ｄと、天井面Ｃと、で囲われた空間内）に昇降装置４を進入させることができ、交差レール３ｂ及び昇降装置４の移動を阻害することなく壁面Ｗ側に昇降装置４を寄せることができるようになっている。つまり、ベッドＢに近い位置に収納什器１と介護リフト装置２とを両方配置することができる。
【００２４】
より詳しくは、後述するように側板１０ｂの上端には、突出部１４が上部収納体１０内に張り出して設けられているが、この突出部１４は固定レール３ａの鉛直方向下方まで張り出しておらず、且つ昇降装置４の本体よりも幅の狭い係合凸部４ｂは突出部１４には干渉しないようになっているとともに、突出部１４から区画板１０ｇまでの間の空間は中空となっており、昇降装置４の本体に干渉するような部材が設けられていないので、上部収納体１０内に昇降装置４を進入させることができるようになっている。
【００２５】
このように、固定レール３ａから鉛直方向下方の区画板１０ｇまでの間に介在物が無い空間が形成され（固定レール３ａと区画板１０ｇとが対向され）、上部収納体１０内に昇降装置４を移動させることができるようになっていれば、例えば、突出部１４に限られず、固定レール３ａから鉛直方向下方を避けた側方に荷物を載置する載置棚等が上部収納体１０内に設けられていてもよい。
【００２６】
また、昇降装置４を不使用時には、上部収納体１０内に昇降装置４を進入させておくことで、部屋内に昇降装置４が露出しないため、介護者の作業の邪魔になることが無いばかりか、部屋内の美観も向上する。また、ベッドＢに近い位置に配置された収納什器１の上部収納体１０内に昇降装置４を出し入れできるため、昇降装置４を用いた介護作業を円滑に行うことができる。
【００２７】
また、収納什器１における天井面Ｃに近い位置、すなわち物品の収納スペースとして使用し難いスペースを利用して昇降装置４を出し入れできるようになっているため、区画板１１ｅ，１１ｅ，…により形成される棚収納や引出し収納等の区画を大きくとることができる。
【００２８】
尚、本実施例では、上端部が天井面Ｃから下方に離間するように上下寸法の短い側板１０ａを用いることで側板１０ａの上端部に切欠部１０ｆを形成した態様について説明したが、交差レール３ｂが前後に通過可能であれば、前面側から一部切り欠かれるように切欠部を形成してもよい。
【００２９】
図２に示されるように、上部収納体１０は、側板１０ｂの前面に対してヒンジ１３，１３により回動可能に取り付けられた開き戸１２（開閉部材）を備えている。この開き戸１２は、側板１０ａ，１０ｂ間の前面側（側板１０ａ，１０ｂ間における壁面Ｗの反対側）を開閉できるようになっている。
【００３０】
これによれば、図２に示されるように、昇降装置４の使用時には、開き戸１２を開くことにより、区画板１０ｇと天井面Ｃとの間から交差レール３ｂ及び昇降装置４を開き戸１２に干渉させることなく上部収納体１０内から昇降装置４を取り出すことができる。また、図４に示されるように、昇降装置４の不使用時に上部収納体１０内に昇降装置４を進入させた状態で開き戸１２を閉じることにより、交差レール３ｂの一部及び昇降装置４が外部に露見しないため、見栄えが良くなる。
【００３１】
また、図２ないし図４に示されるように、開き戸１２を採用しているため、開き戸１２の開閉動作が横方向にのみ限定されるため、その開閉動作が固定レール３ａに干渉することや、区画板１０ｇよりも下方側のスペース（区画板１０ｇと底板１０ｃとの間の収納空間及び下部収納体１１）に干渉することなく、容易に開閉することができる。
【００３２】
また、開き戸１２は、ヒンジ１３，１３を中心として回動するため、横方向へ引いて開く引き戸等と異なり、横方向に延びる案内レール等を必要とせず、上部収納体１０内の領域や側板１０ｂよりも外側に前記案内レールが張り出す虞が無い。換言すれば、ヒンジ１３，１３により開き戸１２が開閉動作できるため、開き戸１２を開閉動作させるための構成をコンパクトにすることができる。
【００３３】
また、図２に示されるように、側板１０ｂの上端には、上部収納体１０内（側板１０ｂと背板１０ｄとで成す内角側）に突出する突出部１４（連結部材）が固着されている。この突出部１４は、背板１０ｄの上端に連結されている。これによれば、上部収納体１０の強度を高めることができるので、開き戸１２を安定して支持することができる。さらに、突出部１４が上部収納体１０内に配設されているため、上部収納体１０の外側に露見せず、収納什器１の見栄えが良い。
【００３４】
また、収納什器１は、床面から立設していることから、例えば、既設の介護リフト装置２を備えた部屋に対して収納什器１を新たに配置する際にも、床面に収納什器１の重量を預けた状態でレール装置３（固定レール３ａ及び交差レール３ｂ）に対する収納什器１の開口部１０ｅ及び切欠部１０ｆの位置合わせ作業を行うことができ、前記位置合わせ作業が簡便である。
【００３５】
尚、収納什器の変形例として、次のようなものもある。図５に示されるように、収納什器１００は、その左右両方の側板１００ａ，１００ｂの上端部に切欠部１００ｆ，１００ｆがそれぞれ設けられている。これにより、交差レール３ｂ及び昇降装置４の移動に影響を与えず、収納什器１００を交差レール３ｂの長手方向中央側に配置することができるようになっている。そのため、図５に示されるように、ベッドＢ，Ｂが並列され、且つ１つの介護リフト装置２を用いて両方の患者の移動介護を行うようになっている部屋においても、ベッドＢ，Ｂ間に収納什器１００を配置して、両方の患者に近い位置から昇降装置４を出し入れできる。
【００３６】
また、収納什器１００に設けられる開閉部材は、下方にスライドすることで開放可能な引き戸１２１である。これによれば、引き戸１２１の開閉操作が固定レール３ａ及び交差レール３ｂに干渉することがない。
【００３７】
以上、本発明の実施例を図面により説明してきたが、具体的な構成はこれら実施例に限られるものではなく、本発明の要旨を逸脱しない範囲における変更や追加があっても本発明に含まれる。
【００３８】
例えば、前記実施例では、介護リフト装置２のレール装置３は、一対の固定レール３ａ，３ａと交差レール３ｂとを備えた態様について説明したが、交差レール３ｂを特段設けず、壁面Ｗに直交する部分を少なくとも有する固定レールが部屋内に敷設され、その固定レールに沿って昇降装置４が走行できるようになっていてもよい。この場合、切欠部１０ｆの構成を省略できる。また、交差レール３ｂは、１つの固定レール３ａに対して走行可能に取付けられていてもよいし、３つ以上の固定レール３ａに対して走行可能に取付けられていてもよい。
【００３９】
また、前記実施例及び前記変形例では、上部収納体１０の上端部が、開放された態様（天板が設けられていない態様）となっていたが、上部収納体１０の上端部に昇降装置４が挿通可能な切欠きを有する天板を設けてもよい。この場合、前記天板を連結する連結部材として利用して上部収納体１０の強度を高めることができる。
【００４０】
また、前記実施例では、開閉部材を側板１０ｂに回動可能に取り付けられた開き戸１２として説明したが、開閉部材は、左右方向にスライド可能な引き戸や下方にスライドすることで開放可能な引き戸等であってもよい。
【００４１】
また、前記実施例の収納什器１は、上部収納体１０と下部収納体１１とで上下２分割されている態様に限られず、収納什器の上端に昇降装置４を収納できる昇降装置用の収納スペースと、収納スペースよりも下方側に患者の持ち物等を収納できる患者用の収納スペースと、を有するものであれば、上下一体であってもよいし、３分割以上に分割されていても構わない。
【００４２】
また、壁面収納什器は、例えば、昇降装置用の収納スペースと、患者用の収納スペースと、を有するものであれば、壁面Ｗや天井面Ｃに支持されるように固定されるものでもよいが、安定性や設置のし易さ等の観点から前記実施例のように床面から立設する態様の方が好ましい。
【００４３】
また、前記実施例及び前記変形例の収納什器は、縦長の収納什器として説明したが、上端部が天井面Ｃ近傍に配設されるものであれば、横幅を大きくとって横長の収納什器としてもよい。
【００４４】
また、前記実施例及び前記変形例の収納什器は、上部収納体１０と下部収納体１１とのいずれにも背板が設けられる態様について説明したが、壁面Ｗを背板として利用し、背板の構成を省略してもよい。また、壁面Ｗを側板として利用して、側板の構成を省略してもよい。
【符号の説明】
【００４５】
１                壁面収納什器
２                介護リフト装置
３                レール装置
３ａ              固定レール（レール）
３ｂ              交差レール
４                昇降装置
１０              上部収納体
１０ａ，１０ｂ    側板
１０ｃ            底板
１０ｄ            背板
１０ｅ            開口部
１０ｆ            切欠部
１０ｇ            区画板（最上段の区画板）
１１              下部収納体
１１ａ，１１ｂ    側板
１１ｅ            区画板
１２              開き戸（開閉部材）
１３              ヒンジ
１４              突出部（連結部材）
１００            壁面収納什器
１００ａ，１００ｂ側板
１００ｆ          切欠部
Ｂ                ベッド
Ｃ                天井面
Ｗ                壁面
【図１】
0006654370.tif 000002
【図２】
0006654370.tif 000003
【図３】
0006654370.tif 000004
【図４】
0006654370.tif 000005
【図５】
0006654370.tif 000006